(57)【要約】【課題】ヘッドレールの大型化が抑えられるランナー移送装置を提供する。【解決手段】ランナー２０をスライド可能に支持するヘッドレール１１と、ヘッドレール１１内に配設されるベルト４０と、ヘッドレール１１内に配設されて、ベルト４０の幅方向におけるベルト４０の端縁を覆った状態でベルト４０とランナー２０とを連結するベルトジョイントと、を備え、ベルト４０は、ベルト本体４２よりも幅が狭い部位である幅狭部４３を有し、ベルトジョイント３０は、幅狭部４３における前記端縁を覆った状態でベルト４０とランナー２０とを連結する。【選択図】図１
0003188027.tif 000002
【実用新案登録請求の範囲】
【請求項１】
ランナーをスライド可能に支持するヘッドレールと、
前記ヘッドレール内に位置するベルトと、
前記ヘッドレール内に位置して、前記ベルトの幅方向における前記ベルトの縁を覆った状態で前記ベルトと前記ランナーとを連結するベルトジョイントと、を備え、
前記ベルトは、
前記ベルトの長さ方向に沿って一定の幅を有する部分であるベルト本体と、
前記ベルト本体よりも長さ方向において短く、かつ、前記ベルト本体よりも幅が狭い部位である幅狭部と、を有し、
前記ベルトジョイントは、
前記幅狭部と前記ランナーとを連結する
ランナー移送装置。
【請求項２】
前記ベルトは、前記ベルトの長さ方向における両端部に前記幅狭部を有する
請求項１に記載のランナー移送装置。
【請求項３】
前記幅狭部は、
前記ベルト本体に近づくほど幅が広く、且つ、前記ベルト本体に連続する拡幅部分を含む
請求項１または２に記載のランナー移送装置。
【請求項４】
前記幅狭部は、
前記ベルトジョイントが取り付けられた状態にて、前記ベルトジョイントから前記ベルト本体に向かって前記ベルトの長さ方向に沿ってはみ出すはみ出し部分を含み、
前記はみ出し部分の長さが前記幅狭部の幅よりも大きい
請求項１〜３のいずれか一項に記載のランナー移送装置。
【請求項５】
前記ベルトジョイントは、
前記幅狭部の幅方向における両端を挟む状態で前記ベルトを保持するベルト保持部を有し、
前記ベルトの幅方向における前記ベルト保持部の幅が前記ベルト本体の幅以下に設定される
請求項１〜４のいずれか一項に記載のランナー移送装置。
【考案の詳細な説明】
【技術分野】
【０００１】
本開示の技術は、ヘッドレールにスライド可能に支持されたランナーを移送するランナー移送装置に関する。
【背景技術】
【０００２】
従来から、カーテンなどの日射遮蔽部材の取り付けられたランナーをヘッドレールに沿って移送するランナー移送装置を備えた日射遮蔽装置が知られている。ランナー移送装置は、ヘッドレールにおいて長手方向の両端部に配設され、係合歯を有した外周部を有する一対のプーリーと、一対のプーリーの係合歯と係合する歯を有したベルトと、ベルトの幅方向におけるベルトの端縁を覆った状態でランナーとベルトとを連結するベルトジョイントと、を備えている。ヘッドレールには、ランナーの通路であるランナー通路とベルトの通路であるベルト通路とが形成され、これらの通路が仕切壁によって仕切られている。仕切壁には、ランナー通路とベルト通路とを連通するスリットがヘッドレールの長手方向に沿って形成されている。ランナーとベルトとは、このスリットを通るベルトジョイントによって連結されている。そして、ユーザーの操作に準じた方向にプーリーが回転することでベルトが移動し、このベルトの移動によってランナーが移送される。なお、こうした構成のランナー移送装置としては、例えば特許文献１に記載のランナー移送装置が挙げられる。特許文献１において、噛合治具及び連結部材が上記ベルトジョイントに該当し、第１収納室及び第２収納室が上記ベルト通路に該当する。
【先行技術文献】
【特許文献】
【０００３】
【特許文献１】実開平６−５０５８３号公報
【考案の概要】
【考案が解決しようとする課題】
【０００４】
ところで、ヘッドレールの有する大きさが、例えば、日射遮蔽装置の有する意匠性に関わらず大きくなったり、日射遮蔽装置の設置に求められる空間よりも大きくなったりすると、日射遮蔽装置の有する意匠性が損なわれたり、日射遮蔽装置の設置に支障を来したりする。
【０００５】
本開示の技術は、ヘッドレールの大型化が抑えられるランナー移送装置を提供することを目的とする。
【課題を解決するための手段】
【０００６】
上記課題を解決するランナー移送装置は、ランナーをスライド可能に支持するヘッドレールと、前記ヘッドレール内に位置するベルトと、前記ヘッドレール内に位置して、前記ベルトの幅方向における前記ベルトの縁を覆った状態で前記ベルトと前記ランナーとを連結するベルトジョイントと、を備え、前記ベルトは、前記ベルトの長さ方向に沿って一定の幅を有する部分であるベルト本体と、前記ベルト本体よりも長さ方向において短く、かつ、前記ベルト本体よりも幅が狭い部位である幅狭部と、を有し、前記ベルトジョイントは、前記幅狭部と前記ランナーとを連結する。
【０００７】
上記ランナー移送装置において、前記ベルトは、前記ベルトの長さ方向における両端部に前記幅狭部を有することが好ましい。
上記ランナー移送装置において、前記幅狭部は、前記ベルト本体に近づくほど幅が広く、且つ、前記ベルト本体に連続する拡幅部分を含むことが好ましい。
【０００８】
上記ランナー移送装置において、前記幅狭部は、前記ベルトジョイントが取り付けられた状態にて、前記ベルトジョイントから前記ベルト本体に向かって前記ベルトの長さ方向に沿ってはみ出すはみ出し部分を含み、前記はみ出し部分の長さが前記幅狭部の幅よりも大きいことが好ましい。
【０００９】
上記ランナー移送装置において、前記ベルトジョイントは、前記幅狭部の幅方向における両端を挟む状態で前記ベルトを保持するベルト保持部を有し、前記ベルトの幅方向における前記ベルト保持部の幅が前記ベルト本体の幅以下に設定されることが好ましい。
【考案の効果】
【００１０】
上述したランナー移送装置によれば、ヘッドレールの大型化が抑えられる。
【図面の簡単な説明】
【００１１】
【図１】本開示におけるランナー移送装置を具体化した一実施形態の概略構成を示す斜視図。
【図２】ベルトジョイントによるベルトとランナーとの連結構造をベルトジョイントを分解して示した斜視図。
【図３】ベルトジョイントにベルトが取り付けられた状態の側面図。
【図４】ベルトジョイントにベルトが取り付けられた状態の正面図。
【図５】ヘッドレールの内部構造を模式的に示す断面図。
【図６】変形例におけるヘッドレールの上面図をランナーとともに示した図。
【考案を実施するための形態】
【００１２】
以下、図１〜図５を参照して、本開示におけるランナー移送装置の一実施形態について説明する。
図１に示されるように、ランナー移送装置１０のヘッドレール１１は、図示されないカーテン生地等の日射遮蔽部材が吊り下げられるランナー２０を移動可能に支持している。ヘッドレール１１の両端部の各々には、ユーザーの操作に応じて回転する図示されないプーリーが配設されている。
【００１３】
上述した一対のプーリーには、ベルト４０が装着される。ベルト４０は、ベルト４０の長さ方向における両端部の各々が個別のベルトジョイント３０によってランナー２０に連結されることで無端状に形成されている。ランナー２０は、無端状のベルト４０の内側に配設されている。ベルト４０の内側面には、上記プーリーの外周部に形成された歯に噛合する複数の係合歯４１が、ベルト４０の長さ方向に沿って一定の間隔を空けて形成されている。
【００１４】
ヘッドレール１１には、ヘッドレール１１の長さ方向に沿ってランナー２０を案内する通路である１つのランナー通路１３が形成されている。ヘッドレール１１には、ランナー通路１３の長さ方向に沿って延び、かつ、１つのランナー通路１３を挟むように、ベルト４０を案内する通路である一対のベルト通路１４が形成されている。これらランナー通路１３とベルト通路１４は、仕切壁１５によって仕切られており、仕切壁１５には、ランナー通路１３とベルト通路１４とを連通するスリット１６が、ランナー通路１３の長さ方向に沿って形成されている。ベルトジョイント３０は、このスリット１６を通じてベルト４０とランナー２０とを連結する。
【００１５】
図２に示されるように、ランナー２０は、合成樹脂製の一対のランナー部材２１と、一対のランナー部材２１が取り付けられる図示されない金属製の連結板と、金属製のランナーアーム２３とがねじ２４によって一体的に連結された部材である。
【００１６】
ランナー部材２１には、ランナー部材２１を厚み方向で挟むように一対の走行ローラー２５が回転可能に支持されている。走行ローラー２５は、ランナー通路１３に収容される。走行ローラー２５は、ランナー２０が移動する際に、ランナー通路１３の下部開口部１７を形成する一対の下辺１８上を転動する。ランナー部材２１には、走行ローラー２５の斜め下方に補助ローラー２８が回転可能に支持されている。補助ローラー２８は、下部開口部１７の開口縁に挟まれる位置に配置され、ランナー２０が移動する際に下部開口部１７の開口縁を転動する。ランナー部材２１には、ランナー部材２１の厚み方向から見て、走行ローラー２５及び補助ローラー２８とは重ならない位置に、ベルトジョイント３０の取付軸３２と嵌合する保持孔２９が形成されている。この保持孔２９に取付軸３２が嵌合することによって、ベルトジョイント３０はランナー２０に連結される。
【００１７】
ベルトジョイント３０は、合成樹脂によって形成されており、ベルトジョイント３０においてベルト通路１４に収容される部分であって、ベルト４０の端部を保持するベルト保持部３１を備えている。また、ベルトジョイント３０は、ベルト保持部３１に一体的に連結されてスリット１６を通じてベルト通路１４からランナー通路１３へ突出する上記取付軸３２を備えている。
【００１８】
ベルト４０の長さ方向においてベルト４０の端部の各々は、ベルト４０の幅方向における両縁が切り欠かれたかたちを有する幅狭部４３である。幅狭部４３は、ベルト４０の長さ方向に沿って一定の幅を有する部分であるベルト本体４２よりも幅が狭く、かつ、長さ方向の長さが短い部分である。
【００１９】
ベルト保持部３１は、取付軸３２が一体的に形成された第１挟持部３３と、第１挟持部３３に対してスナップ係合する第２挟持部３４と、を備えている。ベルト保持部３１は、第１挟持部３３と第２挟持部３４とでベルト４０の幅狭部４３を厚み方向で挟持することによってベルト４０を保持する。
【００２０】
第１挟持部３３には、ベルト４０の係合歯４１が係合する係合凹部３５が複数形成されている。第１挟持部３３には、ベルト４０の幅方向における上端縁及び下端縁の各々に一対の凹部３６が形成されている。第２挟持部３４には、ベルト４０の幅方向における上端縁及び下端縁の各々に一対の係止片３７が形成されている。各係止片３７の先端部には、第１挟持部３３の凹部３６に囲まれる空間を通って第１挟持部３３にスナップ係合する爪部が形成されている。
【００２１】
図３に示されるように、ベルト保持部３１は、第１挟持部３３に第２挟持部３４が係合した状態において、ベルト４０の長さ方向に沿って延びる略直方体形状を有している。ベルト保持部３１においてベルト通路１４を移動する際の先頭となり得る両端部は、ベルト４０の幅方向から見て窄んでいる。ベルト保持部３１にベルト４０が組み付けられるとき、まず、第１挟持部３３の係合凹部３５の各々に幅狭部４３の係合歯４１を係合させる。この際、係合凹部３５に係合する係合歯４１には、ベルト本体４２から最も離れている係合歯４１が含まれる。そして、係合凹部３５に係合歯４１を係合させた状態を維持したまま、第１挟持部３３に対して第２挟持部３４の係止片３７をスナップ係合させる。これにより、ベルト４０の幅狭部４３は、ベルト４０の幅方向における両端がベルト保持部３１に挟まれた状態でベルトジョイント３０に連結される。
【００２２】
図４に示されるように、ベルト保持部３１においてベルト通路１４を移動する際の先頭となり得る両端部は、ベルト４０の厚さ方向から見て窄んでいる。ベルト保持部３１の幅Ｗ１は、ベルト本体４２の幅Ｗ２以下の値に設定される。
【００２３】
取付軸３２の基端部は、互いに対向する位置に形成された一対の切り欠きによって肉厚が薄くなった薄肉部３８である。薄肉部３８は、仕切壁１５のスリット１６を通ることの可能な幅を有し、取付軸３２において薄肉部３８以外の部分は、スリット１６を通ることの不能な幅を有している。薄肉部３８と第１挟持部３３とがなす角部には、薄肉部３８よりも肉厚の薄い一対の補強リブ３９が一体的に形成されている。
【００２４】
一方、ベルト４０の幅狭部４３は、幅狭部４３の長さ方向に沿って一定の幅を有する部分と、ベルト本体４２に近い部位ほど広い幅を有する部分であって、且つ、ベルト本体４２に連続する拡幅部分４４と、を備えている。拡幅部分４４は、長さ方向に対して傾いた方向に沿って直線状に延びる傾斜４５を有し、傾斜４５において、ベルト４０の長さ方向に対する傾斜４５の角度が４５°以下の角度に設定される。また、幅狭部４３は、ベルト保持部３１に保持された状態において、ベルト保持部３１から長さ方向においてはみ出すはみ出し部分４６を含む。このはみ出し部分４６の長さＬ１は、幅狭部４３の幅Ｗ３よりも大きい値に設定されている。
【００２５】
次に、図５を参照して、上述したランナー移送装置１０の作用について説明する。
図５に示されるように、ベルト４０の両端部が幅狭部４３であり、該幅狭部４３がベルト保持部３１によって保持される。そのため、ベルト４０の厚み方向から見て、ベルトジョイント３０の係止片３７等、ベルトジョイント３０において幅狭部４３の幅方向における両縁を覆う部分を、ベルト本体４２の幅Ｗ２と幅狭部４３の幅Ｗ３との差に相当するスペースに配設することが可能である。すなわち、ベルト４０の移動するためのスペースをベルト４０の厚み方向から見たとき、ベルト４０の幅方向において両縁の移動する移動スペースと、ベルトジョイント３０の移動する移動スペースとが、互いに一部を重畳する。
【００２６】
以上説明したように、上記実施形態のランナー移送装置１０によれば、以下に列挙する作用効果を得ることができる。
（１）ベルト４０の移動スペースに対してベルトジョイント３０の移動スペースを重畳させた分だけ、ベルト４０の幅方向においてベルト通路１４を小さくすることが可能である。それゆえに、ヘッドレール１１の大型化が抑えられる。
【００２７】
（２）幅狭部４３は、ベルト本体４２との境界に拡幅部分４４を備えている。そのため、幅狭部４３とベルト本体４２との境界における応力集中が軽減される。その結果、幅狭部４３の形成に起因したベルト４０の機械的強度の低下が抑えられる。
【００２８】
（３）はみ出し部分４６の長さＬ１が幅狭部４３の幅Ｗ３よりも大きいことから、少なくとも幅狭部４３の幅Ｗ３だけベルトジョイント３０から離れた位置に幅狭部４３とベルト本体４２との境界が配置される。その結果、幅狭部４３とベルト本体４２との境界における応力集中が効果的に軽減される。
【００２９】
（４）ベルト保持部３１の幅Ｗ１がベルト本体４２の幅Ｗ２以下に設定されることから、ベルト４０の厚み方向から見て、ベルト保持部３１の移動スペースがベルト４０の移動スペースに重畳する。その結果、ヘッドレール１１の大型化がさらに抑えられる。
【００３０】
（５）ランナー移送装置１０においては、複数のレール構成部材によって１つのヘッドレールが構成される場合もある。こうした構成のヘッドレールにおけるベルト通路には、互いに異なるレール構成部材の繋ぎ目に段差が形成されることがある。この点、上記ベルト保持部３１は、移動時の先頭部が窄んでいることから、繋ぎ目の段差を乗り越えやすい。その結果、ランナー２０の円滑な移動が実現される。
【００３１】
（６）ベルトジョイント３０の取付軸３２には、図５に示されるように、仕切壁１５のスリット１６に配設される部位として薄肉部３８が形成されている。こうした構成によれば、スリット１６の開口幅を小さくすることができる。その結果、スリット１６を通じてベルト４０の一部がランナー通路１３に侵入する可能性が低くなる。
【００３２】
なお、上記実施形態は、以下のように適宜変更して実施することもできる。
・ベルト４０の幅狭部４３がベルトジョイント３０を介してランナー２０に連結されることによって、ベルト４０の移動スペースに対してベルトジョイント３０の移動スペースの一部がベルト４０の厚み方向から見て互いに重畳すればよい。例えば、ベルトジョイント３０において、ベルト保持部３１における幅Ｗ１がベルト本体４２の幅Ｗ２よりも大きくてもよい。
【００３３】
・はみ出し部分４６の長さＬ１は、幅狭部４３の幅Ｗ３以下であってもよいし、幅狭部４３においてはみ出し部分４６が省略されてもよい。
・拡幅部分４４は、ベルト本体４２に近づくほど幅が広くなり、且つ、ベルト本体４２に連続していればよい。そのため、拡幅部分４４の傾斜は、ベルト４０の長さ方向に対して４５°以下の直線状の傾斜４５に限らず、４５°以上の直線状の傾斜であってもよいし、曲線状の傾斜であってもよい。
【００３４】
・幅狭部４３において拡幅部分４４が省略されてもよく、幅狭部４３は、拡幅部分４４を介すことなくベルト本体４２に連続していてもよい。
・ベルト４０は、ベルトジョイント３０の連結部分が幅狭部４３であればよく、その形成位置は、ベルト４０において長さ方向の端部に限られず、ベルト４０において長さ方向の途中であってもよい。
【００３５】
・ベルトジョイント３０は、ベルト４０の幅方向におけるベルト４０の縁のうちの例えば一方のみを覆った状態でランナー２０とベルト４０とを連結してもよい。
・幅狭部４３は、ベルト４０の長さ方向の一部であって、ベルト本体４２よりも幅が狭い部分であればよく、ベルト４０は、例えば、幅狭部４３よりも幅の狭い部分を有していてもよい。
【００３６】
・ランナー移送装置１０は、幅狭部４３とランナー２０とがベルトジョイント３０によって連結されていればよい。そのため、ベルト４０は、無端状に限らず、例えば、一端がプーリーに連結され、他端がランナー２０に他端が連結されたベルトであってもよい。。
【００３７】
・図６に示されるように、ランナー移送装置１０のヘッドレール１１は、湾曲していてもよい。こうした構成であっても、ランナー２０は、走行ローラー２５が下辺１８上を転動するとともに補助ローラー２８が下部開口部１７の開口縁に当接しながら転動することから、ランナー通路１３を円滑に移動することが可能である。
・また、ランナー移送装置１０は、ヘッドレール１１が鉛直方向に沿うように配置された縦型の日射遮蔽装置にも適用可能である。
【符号の説明】
【００３８】
１０…ランナー移送装置、１１…ヘッドレール、１３…ランナー通路、１４…ベルト通路、１５…仕切壁、１６…スリット、１７…下部開口部、１８…下辺、２０…ランナー、２１…ランナー部材、２３…ランナーアーム、２４…ねじ、２５…走行ローラー、２８…補助ローラー、２９…保持孔、３０…ベルトジョイント、３１…ベルト保持部、３２…取付軸、３３…第１挟持部、３４…第２挟持部、３５…係合凹部、３６…凹部、３７…係止片、３８…薄肉部、３９…補強リブ、４０…ベルト、４１…係合歯、４２…ベルト本体、４３…幅狭部、４４…拡幅部分、４５…傾斜、４６…はみ出し部分。
【図１】
0003188027.tif 000003
【図２】
0003188027.tif 000004
【図３】
0003188027.tif 000005
【図４】
0003188027.tif 000006
【図５】
0003188027.tif 000007
【図６】
0003188027.tif 000008